(57)【要約】【課題】使用形態に応じたセキュリティレベルの設定を行うことができる個人認証機能付き携帯電話機を提供する。【解決手段】個人認証機能付き携帯電話機１００は、複数の個人認証方法から少なくとも１つの個人認証方法を選択し、当該選択された個人認証方法を記憶する認証方法選択記憶部１３と、前記認証方法選択記憶部１３に記憶された前記個人認証方法に用いられる入力情報を記憶する情報記憶部９と、前記情報記憶部９に記憶された前記入力情報から特徴情報を認証情報として抽出する特徴抽出部１０と、予め使用者の特徴情報を記録する特徴記録部１１と、前記特徴記録部１１に予め記録された前記特徴情報と、前記特徴抽出部１０により抽出された前記認証情報とを比較することにより使用者の個人認証を行う特徴認証部１２と、を備えている。【選択図】　　　図２
2004080080.tif 000002
【特許請求の範囲】
【請求項１】
複数の個人認証方法から少なくとも１つの個人認証方法を選択し、当該選択された個人認証方法を記憶する認証方法選択記憶部と、
前記認証方法選択記憶部に記憶された前記個人認証方法に用いられる入力情報を記憶する情報記憶部と、
前記情報記憶部に記憶された前記入力情報から特徴情報を認証情報として抽出する特徴抽出部と、
予め使用者の特徴情報を記録する特徴記録部と、
前記特徴記録部に予め記録された前記特徴情報と、前記特徴抽出部により抽出された前記認証情報とを比較することにより使用者の個人認証を行う特徴認証部と、
を備えたことを特徴とする個人認証機能付き携帯電話機。
【請求項２】
前記入力情報は画像情報であることを特徴とする請求項１に記載の個人認証機能付き携帯電話機。
【請求項３】
前記入力情報は音声情報であることを特徴とする請求項１に記載の個人認証機能付き携帯電話機。
【請求項４】
前記入力情報はキー入力情報であることを特徴とする請求項１に記載の個人認証機能付き携帯電話機。
【発明の詳細な説明】
【０００１】
【発明の属する技術分野】
本発明は、携帯電話やＰＨＳなどの移動体通信システムに用いられる携帯電話機に関し、特に、個人認証により不正使用を防止する個人認証機能付き携帯電話機に関する。
【０００２】
【従来の技術】
近年、その利便性から普及が著しい携帯電話機は、データ通信機能の搭載により、電子メールの送受信からインターネットショッピングまで、多機能化が進んでいる。物品購入や振込などの電子決済処理が携帯電話機から簡単な操作で行えるようになる一方で、他人の携帯電話機を使用して本来の所有者になりすます不正使用が社会的問題となっている。
【０００３】
携帯電話機の使用者の認証方法として、従来は、キーボードから入力されたパスワードを照合する方法が一般的であった。以下に従来の個人認証機能付き携帯電話機の一例について説明する。
【０００４】
図１４は、従来の個人認証機能付き携帯電話機の一例の外観を示す斜視図である。携帯電話機２００は、主に、電話番号などの各種文字情報を表示する表示部２１、電話番号やパスワードの入力などを行うキーボード２２、音声を出力するスピーカ２３、音声を入力するマイク２４、送受話および情報の送受信を無線で行う後述する無線部２５のアンテナ２５ａ、で構成されている。
【０００５】
図１５は、図１４に示した従来の個人認証機能付き携帯電話機の電気的構成を示すブロック図である。表示部２１、キーボード２２、スピーカ２３、マイク２４、無線部２５は、電話の発呼や着呼などの制御を行う電話部２６と接続している。キーボード２２から入力した内容や受信した情報などは表示部２１に表示され、電話の受話や送話などはスピーカ２３やマイク２４を通じて行われる。また、電話部２６は、無線部２５を介してダイヤル情報や通信情報を無線信号で送受信する。電話部２６は、電話番号やパスワード、音声などの情報を記憶する情報記憶部２７とも接続している。電源部２８は、上記の各部に電力を供給する。
【０００６】
次に、図１６は、図１４に示した従来の個人認証機能付き携帯電話機における個人認証動作の流れを示すフローチャートである。まず、使用者が携帯電話機２００の電源を投入すると（ステップＳ７０１）、電源部２８から各部へ電力が供給され、各部が動作を開始する。次に、パスワードの入力を促すメッセージが表示部２１に表示されるので（ステップＳ７０２）、使用者がキーボード２２からパスワードを入力すると（ステップＳ７０３）、入力されたパスワードが情報記憶部２７に予め登録されているパスワードと比較、照合される（ステップＳ７０４）。次に、入力されたパスワードが情報記憶部２７に予め登録されているパスワードと一致しているか否かの判定が行われる（ステップＳ７０５）。ステップＳ７０５で、入力されたパスワードが不一致ならばステップＳ７０２に戻って、使用者はパスワードを再度入力する。一方、入力されたパスワードが一致していれば正当な使用者と判定され、個人認証が終了して（ステップＳ７０６）、携帯電話機２００の利用が可能となる（ステップＳ７０７）。
【０００７】
【発明が解決しようとする課題】
上述したような従来の携帯電話機２００における個人認証方法では、生年月日などの簡単な数字列をパスワードとして設定している場合や、入力時の操作を見られてしまった場合などには、悪意のある他人が簡単に不正使用できてしまうという課題があった。例えば、パスワードの桁数を多くするという対策も考えられるが、パスワード忘れや入力誤りなどの問題が生じるため、根本的な解決にはなっていなかった。
【０００８】
また、前述の通り携帯電話機が多機能化し、電子決済などが可能になると、これまでのパスワードによる認証だけでは不十分で、使用形態に応じたセキュリティレベルの設定が必要となっている。
【０００９】
そこで、本発明は、このような実情に鑑みてなされたものであり、使用形態に応じたセキュリティレベルの設定を行うことができる個人認証機能付き携帯電話機を提供することを目的とする。
【００１０】
【課題を解決するための手段】
請求項１に係る個人認証機能付き携帯電話機は、複数の個人認証方法から少なくとも１つの個人認証方法を選択し、当該選択された個人認証方法を記憶する認証方法選択記憶部と、前記認証方法選択記憶部に記憶された前記個人認証方法に用いられる入力情報を記憶する情報記憶部と、前記情報記憶部に記憶された前記入力情報から特徴情報を認証情報として抽出する特徴抽出部と、予め使用者の特徴情報を記録する特徴記録部と、前記特徴記録部に予め記録された前記特徴情報と、前記特徴抽出部により抽出された前記認証情報とを比較することにより使用者の個人認証を行う特徴認証部と、を備えたことを特徴とする。
【００１１】
このように構成された個人認証機能付き携帯電話機によれば、個人認証のための複数の認証方法から選択された少なくとも１つの方法が記録され、個人認証が行われるようになっているので、使用者は認証方法を選択することにより使用形態に応じたセキュリティレベルの設定を行うことができる。
【００１２】
また、請求項２に係る個人認証機能付き携帯電話機は、請求項１に記載の個人認証機能付き携帯電話機において、前記入力情報は画像情報であることを特徴とする。
【００１３】
このように構成された個人認証機能付き携帯電話機によれば、画像情報に基づくセキュリティレベルの高い個人認証を行うことができる。
【００１４】
また、請求項３に係る個人認証機能付き携帯電話機は、請求項１に記載の個人認証機能付き携帯電話機において、前記入力情報は音声情報であることを特徴とする。
【００１５】
このように構成された個人認証機能付き携帯電話機によれば、音声情報に基づくセキュリティレベルの高い個人認証を行うことができる。
【００１６】
また、請求項４に係る個人認証機能付き携帯電話機は、請求項１に記載の個人認証機能付き携帯電話機において、前記入力情報はキー入力情報であることを特徴とする。
【００１７】
このように構成された個人認証機能付き携帯電話機によれば、キー入力情報に基づくセキュリティレベルの高い個人認証を行うことができる。
【００１８】
【発明の実施の形態】
以下、本発明に係る個人認証機能付き携帯電話機の好ましい実施の形態について、図面を用いて詳細に説明する。なお、実施の形態を説明するための全図において、同一機能を有する部位は同一符号を付与し、説明は繰り返さないこととする。
【００１９】
（実施の形態１）
図１は、本発明の実施の形態１における個人認証機能付き携帯電話機の外観を示す斜視図である。個人認証機能付き携帯電話機１００は、主に、電話番号などの各種文字情報や画像情報などを表示する表示部１、電話番号やパスワードの入力などを行うキーボード２、音声を出力するスピーカ３、音声を入力するマイク４、送受話および情報の送受信を無線で行う後述する無線部５のアンテナ５ａ、画像を入力するカメラ６、で構成されている。
【００２０】
図２は、本発明の実施の形態１における個人認証機能付き携帯電話機の電気的構成を示すブロック図である。表示部１、キーボード２、スピーカ３、マイク４、カメラ６、および電話の発呼や着呼などの制御を行う電話部７は、携帯電話機１００全体の制御を行う制御部８と接続している。キーボード２から入力した内容、カメラ６で取得した画像、受信した情報などは表示部１に表示され、電話の送受話および音声の記録などはスピーカ３やマイク４を通じて行われる。また、電話部７は、無線部５を介してダイヤル情報や通信情報を無線信号で送受信する。制御部８は、個人認証のための複数の認証方法から選択された１つの方法を記録する認証方法選択部１３、前記１つの方法に用いられる入力情報を記憶する情報記憶部９、情報記憶部９に記憶された入力情報から特徴情報を抽出する特徴抽出部１０、特徴抽出部１０により抽出された特徴情報を認証情報として記録する特徴記録部１１、使用者による入力情報から特徴抽出部１０により抽出された特徴情報を特徴記録部１１に予め記録された認証情報と比較することにより使用者の個人認証を行う特徴認証部１２とも接続しており、各部の動作を制御する。制御部８および認証方法選択部１３、情報記憶部９、特徴抽出部１０、特徴記録部１１、特徴認証部１２の各部は、例えばＣＰＵとメモリから成るマイクロコンピュータで構成される。電源部１４は、上記の各部に電力を供給する。
【００２１】
図３は、本発明の実施の形態１における個人認証機能付き携帯電話機の、認証方法設定動作の流れを示すフローチャートである。まず、使用者がキーボード２を操作して、表示部１に表示されている操作メニューから「認証方法の選択」を選択すると（ステップＳ１０１）、複数の認証方法が表示部１に表示される（ステップＳ１０２）。本実施の形態１では、「パスワード入力」、「画像入力」、「音声入力」、「キー入力」の４種類の認証方法が表示される。次に、使用者がキーボード２を操作して、複数の認証方法から任意の１つの方法を選択すると（ステップＳ１０３）、選択された認証方法が表示部１に表示される（ステップＳ１０４）。次に、使用者が選択した認証方法でよいか否かを確認する（ステップＳ１０５）。ステップＳ１０５で、認証方法を変更したい場合、ステップＳ１０２に戻り、使用者は認証方法を再度選択する。一方、そのままでよい場合には、選択された認証方法が認証方法選択部１３に記録され（ステップＳ１０６）、認証方法の設定が終了する。
【００２２】
次に、認証情報登録動作を、設定された認証方法ごとに図４から図７のフローチャートを用いて説明する。
【００２３】
図４は、「パスワード入力」を認証方法として設定した場合の、認証情報登録動作の流れを示すフローチャートである。まず、使用者がキーボード２を操作して、表示部１に表示されている操作メニューから「パスワード入力」を選択すると（ステップＳ２０１）、パスワードの入力を促すメッセージが表示部１に表示される（ステップＳ２０２）。次に、使用者がキーボード２からパスワードを入力すると（ステップＳ２０３）、入力されたパスワードが情報記憶部９に記憶される（ステップＳ２０４）。次に、使用者がキーボード２から確認用にパスワードを再入力すると（ステップＳ２０５）、再入力されたパスワードが情報記憶部９に記憶されているパスワードと一致しているか否かの判定が行われる（ステップＳ２０６）。ステップＳ２０６で、再入力されたパスワードが不一致ならばステップＳ２０２に戻り、使用者はパスワードを入力し直す。一方、再入力されたパスワードが一致していればそのパスワードが認証情報（特徴情報）として特徴記録部１１に記録される（ステップＳ２０７）。記録完了後、情報記憶部９に一時的に記憶されたパスワードが消去され（ステップＳ２０８）、パスワードの登録が終了する。
【００２４】
図５は、「画像入力」を認証方法として設定した場合の、認証情報登録動作の流れを示すフローチャートである。まず、使用者がキーボード２を操作して、表示部１に表示されている操作メニューから「画像入力」を選択する（ステップＳ２１１）。次に、使用者が認証に使用する対象（例えば、自分の手のひら、顔など）を選択してカメラ６で撮影すると（ステップＳ２１２）、撮影された画像が情報記憶部９に記憶され（ステップＳ２１３）、表示部１に表示される（ステップＳ２１４）。次に、情報記憶部９に記憶された画像からの特徴情報（例えば、指の長さ、目や鼻の位置など）の抽出が特徴抽出部１０で行われ、抽出された特徴情報が認証情報として特徴記録部１１に記録される（ステップＳ２１５）。特徴情報の抽出には、公知の画像認識および画像処理方法を用いることができる。次に、使用者が再度同じ画像を撮影すると、同様に特徴情報が抽出される（ステップＳ２１６）。次に、特徴認証部１２で、再度撮影した画像から抽出された特徴情報が特徴記録部１１に記録されている認証情報と比較され一致している否かの判定が行われる（ステップＳ２１７）。ステップＳ２１７で、再度撮影した画像から抽出された特徴情報が不一致ならばステップＳ２１２に戻り、使用者は画像を撮影し直す。一方、再度撮影した画像から抽出された特徴情報が一致していれば情報記憶部９に一時的に記憶された画像情報が消去され（ステップＳ２１８）、画像情報の登録が終了する。なお、認証用画像の対象は、手のひらや顔など、使用者固有の情報となるものであることが好ましい。
【００２５】
図６は、「音声入力」を認証方法として設定した場合の、認証情報登録動作の流れを示すフローチャートである。まず、使用者がキーボード２を操作して、表示部１に表示されている操作メニューから「音声入力」を選択する（ステップＳ２２１）。次に、使用者がマイク４から認証に使用する音声（例えば、言葉、歌など）を入力すると（ステップＳ２２２）、入力された音声が情報記憶部９に記憶され（ステップＳ２２３）、スピーカ３から再生される（ステップＳ２２４）。次に、情報記憶部９に記憶された音声からの特徴情報（例えば、声紋、イントネーションなど）の抽出が特徴抽出部１０で行われ、抽出された特徴情報が認証情報として特徴記録部１１に記録される（ステップＳ２２５）。特徴情報の抽出には、公知の音声認識および音声処理方法を用いることができる。次に、使用者が再度同じ音声を入力すると、同様に特徴情報が抽出される（ステップＳ２２６）。次に、特徴認証部１２で、再度入力した音声から抽出された特徴情報が特徴記録部１１に記録されている認証情報と比較され一致しているか否かの判定が行われる（ステップＳ２２７）。ステップＳ２２７で、再度入力した音声から抽出された特徴情報が不一致ならばステップＳ２２２に戻り、使用者は音声を入力し直す。一方、再度入力した音声から抽出された特徴情報が一致していれば情報記憶部９に一時的に記憶された音声情報が消去され（ステップＳ２２８）、音声情報の登録が終了する。なお、認証用の音声は、使用者が発する声など、使用者固有の情報となるものであることが好ましい。
【００２６】
図７は、「キー入力」を認証方法として設定した場合の、認証情報登録動作の流れを示すフローチャートである。まず、使用者がキーボード２を操作して、表示部１に表示されている操作メニューから「キー入力」を選択する（ステップＳ２３１）。次に、使用者がキーボード２から認証に使用するキー入力（例えば、任意の数字列の入力など）を行うと（ステップＳ２３２）、キー入力情報が情報記憶部９に記憶される（ステップＳ２３３）。次に、情報記憶部９に記憶されたキー入力情報からの特徴情報（例えば、入力スピード、リズムなど）の抽出が特徴抽出部１０で行われ、抽出された特徴情報が認証情報として特徴記録部１１に記録される（ステップＳ２３４）。特徴情報の抽出には、公知の検知方法を用いることができる。次に、使用者が再度同じキー入力を行うと、同様に特徴情報が抽出される（ステップＳ２３５）。次に、特徴認証部１２で、再度行ったキー入力から抽出された特徴情報が特徴記録部１１に記録されている認証情報と比較され一致しているか否かの判定が行われる（ステップＳ２３６）。ステップＳ２３６で、再度行ったキー入力から抽出された特徴情報が不一致ならばステップＳ２３２に戻り、使用者がキー入力をやり直す。一方、再度行ったキー入力から抽出された特徴情報が一致していれば情報記憶部９に一時的に記憶されたキー入力情報が消去され（ステップＳ２３７）、キー入力情報の登録が終了する。
【００２７】
次に、図８は、本発明の実施の形態１における個人認証機能付き携帯電話機の、認証方法の設定と認証情報の登録が完了した後の使用開始時における個人認証動作の流れを示すフローチャートである。まず、使用者が携帯電話機１００の電源を投入すると（ステップＳ３０１）、電源部１４から各部へ電力が供給され、各部が動作を開始する。次に、認証方法選択部１３に記録された認証方法が指定され（ステップＳ３０２）、指定された認証方法に対応する情報の入力を促すメッセージが表示部１に表示される（ステップＳ３０３）。次に、使用者が指定された認証方法に対応する情報を入力すると（ステップＳ３０４）、入力された情報からの特徴情報の抽出が特徴抽出部１０で行われ（ステップＳ３０５）、特徴認証部１２で、抽出された特徴情報が予め特徴記録部１１に記録されている認証情報と比較、照合される（ステップＳ３０６）。次に、抽出された特徴情報が予め特徴記録部１１に記録されている認証情報と一致しているか否かの判定が行われる（ステップＳ３０７）。ステップＳ３０７で、抽出された特徴情報が不一致ならばステップＳ３０３に戻り、使用者は情報を入力し直す。一方、抽出された特徴情報が一致していれば正当な使用者と判定され、個人認証が終了して（ステップＳ３０８）、携帯電話機１００の使用が可能となる（ステップＳ３０９）。なお、ステップＳ３０７で所定の回数認証に失敗した場合、強制的に認証処理を終了して、携帯電話機１００の電源を切断するような設定にすることが好ましい。
【００２８】
このような本実施の形態１の個人認証機能付き携帯電話機によれば、個人認証のための複数の認証方法から選択された１つの方法が記録され、個人認証が行われるようになっているので、使用者は認証方法を選択して、使用形態に応じたセキュリティレベルの設定を行うことができる。また、パスワードだけでなく、画像情報、音声情報、キー入力情報といった他人が模倣しにくい情報を認証情報として用いるので、セキュリティレベルの高い個人認証を行うことができる。
【００２９】
（実施の形態２）
次に、本発明の実施の形態２における個人認証機能付き携帯電話機について説明する。本実施の形態２の個人認証機能付き携帯電話機は、実施の形態１における認証方法選択部１３を、複数の認証方法の組み合わせを記録する認証方法組み合わせ選択部１５に置き換えたことを特徴とする。
【００３０】
本実施の形態２の個人認証機能付き携帯電話機の外観は、実施の形態１のそれと同じであるので図示および説明を省略する。
【００３１】
図９は、本実施の形態２の個人認証機能付き携帯電話機１００ａの電気的構成を示すブロック図である。前述の実施の形態１と比較すると、実施の形態１における認証方法選択部１３が、認証方法組み合わせ選択部１５に置き換わった構成となっている。認証方法組み合わせ選択部１５は、個人認証のための複数の認証方法から選択された少なくとも２つの認証方法の組み合わせを記録するものである。それ以外の各部の構成は実施の形態１と同じであるので説明を省略する。
【００３２】
図１０は、本実施の形態２の個人認証機能付き携帯電話機の、認証方法設定動作の流れを示すフローチャートである。まず、使用者がキーボード２を操作して、表示部１に表示されている操作メニューから「認証方法の組み合わせ選択」を選択すると（ステップＳ４０１）、複数の認証方法が表示部１に表示される（ステップＳ４０２）。本実施の形態２では、「パスワード入力」、「画像入力」、「音声入力」、「キー入力」の４種類の認証方法が表示される。次に、使用者がキーボード２を操作して、複数の認証方法から任意の１つの方法を選択すると（ステップＳ４０３）、選択された認証方法が表示部１に表示される（ステップＳ４０４）。次に、使用者が選択した認証方法で終了か否かを確認する（ステップＳ４０５）。ステップＳ４０５で、２番目の認証方法を選択する場合、ステップＳ４０２に戻り、使用者は２番目の認証方法を同様に選択する。ステップＳ４０２からステップＳ４０５までの手順を任意の回数繰り返し、複数の認証方法を選択し確定すると、選択された複数の認証方法が認証方法組み合わせ選択部１５に記録され（ステップＳ４０６）、認証方法の設定が終了する。
【００３３】
認証情報登録動作は、実施の形態１（図４から図７のフローチャートを参照）と同じであるので説明を省略する。
【００３４】
次に、図１１は、本実施の形態２の個人認証機能付き携帯電話機の、複数の認証方法の設定と認証情報の登録が完了した後の使用開始時における個人認証動作の流れを示すフローチャートである。まず、使用者が携帯電話機１００ａの電源を投入すると（ステップＳ５０１）、電源部１４から各部へ電力が供給され、各部が動作を開始する。次に、認証方法組み合わせ選択部１５に記録された認証方法が指定され（ステップＳ５０２）、指定された認証方法に対応する情報の入力を促すメッセージが表示部１に表示される（ステップＳ５０３）。次に、使用者が指定された認証方法に対応する情報を入力すると（ステップＳ５０４）、入力された情報から特徴情報の抽出が特徴抽出部１０で行われ（ステップＳ５０５）、特徴認証部１２で、抽出された特徴情報が予め特徴記録部１１に記録されている特徴情報と比較、照合される（ステップＳ５０６）。次に、抽出された特徴情報が予め特徴記録部１１に記録されている特徴情報と一致しているか否かの判定が行われる（ステップＳ５０７）。ステップＳ５０７で、抽出された特徴情報が不一致ならばステップＳ５０３に戻り、使用者は情報を入力し直す。一方、抽出された特徴情報が一致すれば１番目の認証方法において認証成功として判定され、記録された複数の認証方法のすべてについて認証が実行された否かの判定が行われる（ステップＳ５０８）。ステップＳ５０８で、実行されていない認証方法がある場合はステップＳ５０２に戻り、使用者は２番目の認証方法に対応する情報を入力する。ステップＳ５０２からステップＳ５０８までの手順を、登録した認証方法の数だけ繰り返し、すべての認証方法において認証が成功すると、個人認証が終了して（ステップＳ５０９）、携帯電話機１００ａの使用が可能となる（ステップＳ５１０）。なお、ステップＳ５０７で所定の回数認証に失敗した場合、強制的に認証処理を終了して、携帯電話機１００ａの電源を切断するような設定にすることが好ましい。
【００３５】
このような本実施の形態２の個人認証機能付き携帯電話機によれば、個人認証のための複数の認証方法から選択された複数の方法が記録され、個人認証が行われるようになっているので、使用者は複数の認証方法を組み合わせて選択して、使用形態に応じたセキュリティレベルの設定を行うことができる。また、パスワードだけでなく、画像情報、音声情報、キー入力情報といった他人が模倣しにくい情報を認証情報として用いるので、更にセキュリティレベルの高い個人認証を行うことができる。
【００３６】
（実施の形態３）
次に、本発明の実施の形態３における個人認証機能付き携帯電話機について説明する。本実施の形態３の個人認証機能付き携帯電話機は、決済情報や認証情報を送信する際に暗号化する暗号化部１６を備えたことを特徴とする。
【００３７】
本実施の形態３の個人認証機能付き携帯電話機の外観は、実施の形態１のそれと同じであるので図示および説明を省略する。
【００３８】
図１２は、本実施の形態３の個人認証機能付き携帯電話機１００ｂの電気的構成を示すブロック図である。前述の実施の形態２と比較すると、実施の形態２の構成に、制御部８と接続する暗号化部１６が付加された構成となっている。暗号化部１６は、電子決済の際に通信先での認証に用いられる認証情報や決済情報を暗号化するものである。暗号化は、公知の暗号化手法を用いることができる。それ以外の各部の構成は実施の形態２と同じであるので説明を省略する。
【００３９】
図１３は、本実施の形態３の個人認証機能付き携帯電話機の、電子決済の際の通信先での個人認証動作の流れを示すフローチャートである。まず、使用者が携帯電話機１００ｂの電源を投入すると（ステップＳ６０１）、電源部１４から各部へ電力が供給され、各部が動作を開始する。次に、使用者が決済に必要な内容や条件をキーボード２から入力し（ステップＳ６０２）、決済先へダイヤルすると、無線部５よりダイヤル情報が送信され通信が確立される（ステップＳ６０３）。次に、認証方法組み合わせ選択部１５に記録されている認証方法から、決済に使用する認証方法が設定される（ステップＳ６０４）。次に、特徴記録部１１に記録されている複数の認証情報から、設定された認証方法に対応する認証情報が読み出され、この認証情報や決済情報が暗号化部１６で暗号化される（ステップＳ６０５）。次に、暗号化された情報が無線部５から決済先へ送信される（ステップＳ６０６）。
【００４０】
決済先では、暗号化された情報が受信され（ステップＳ６０７）、復号化され元の情報に戻される（ステップＳ６０８）。次に、復号化の結果得られた認証情報が決済先に予め登録されている認証情報と比較、照合される（ステップＳ６０９）。次に、復号化の結果得られた認証情報が決済先に予め登録されている認証情報と一致しているか否かの判定が行われる（ステップＳ６１０）。ステップＳ６１０で、復号化の結果得られた認証情報が一致していれば、送信者が正当な使用者と判定され、決済処理が実行される（ステップＳ６１１）。一方、復号化の結果得られた認証情報が不一致ならば、送信者が不正使用者と判定され、決済処理が中止され（ステップＳ６１２）、認証に失敗した旨が携帯電話機１００ｂに返信され（ステップＳ６１３）、処理が終了する。
【００４１】
このような本実施の形態３の個人認証機能付き携帯電話機によれば、認証情報や決済情報が送信される際に暗号化されるので、無線信号の盗聴によるこれらの情報の漏洩を防止することができる。
【００４２】
【発明の効果】
上述した説明から明らかなように、本発明に係る個人認証機能付き携帯電話機によれば、個人認証のための複数の認証方法から選択された少なくとも１つの方法が記録され、個人認証が行われるようになっているので、使用者は認証方法を選択することにより使用形態に応じたセキュリティレベルの設定を行うことができる。
【図面の簡単な説明】
【図１】本発明の実施の形態１における個人認証機能付き携帯電話機の外観を示す斜視図である。
【図２】本発明の実施の形態１における個人認証機能付き携帯電話機の電気的構成を示すブロック図である。
【図３】本発明の実施の形態１における個人認証機能付き携帯電話機の、認証方法設定動作の流れを示すフローチャートである。
【図４】「パスワード入力」を認証方法として設定した場合の、認証情報登録動作の流れを示すフローチャートである。
【図５】「画像入力」を認証方法として設定した場合の、認証情報登録動作の流れを示すフローチャートである。
【図６】「音声入力」を認証方法として設定した場合の、認証情報登録動作の流れを示すフローチャートである。
【図７】「キー入力」を認証方法として設定した場合の、認証情報登録動作の流れを示すフローチャートである。
【図８】認証方法の設定と認証情報の登録が完了した後の使用開始時における個人認証動作の流れを示すフローチャートである。
【図９】本発明の実施の形態２における個人認証機能付き携帯電話機の電気的構成を示すブロック図である。
【図１０】本発明の実施の形態２における個人認証機能付き携帯電話機の、認証方法設定動作の流れを示すフローチャートである。
【図１１】複数の認証方法の設定と認証情報の登録が完了した後の使用開始時における個人認証動作の流れを示すフローチャートである。
【図１２】本発明の実施の形態３における個人認証機能付き携帯電話機の電気的構成を示すブロック図である。
【図１３】本発明の実施の形態３における個人認証機能付き携帯電話機の、電子決済の際の通信先での個人認証動作の流れを示すフローチャートである。
【図１４】従来の個人認証機能付き携帯電話機の一例の外観を示す斜視図である。
【図１５】図１４に示した従来の個人認証機能付き携帯電話機の電気的構成を示すブロック図である。
【図１６】図１４に示した従来の個人認証機能付き携帯電話機における個人認証動作の流れを示すフローチャートである。
【符号の説明】
１　表示部
２　キーボード
３　スピーカ
４　マイク
５　無線部
６　カメラ
７　電話部
８　制御部
９　情報記憶部
１０　特徴抽出部
１１　特徴記録部
１２　特徴認証部
１３　認証方法選択部
１４　電源部
１５　認証方法組み合わせ選択部
１６　暗号化部
１００、１００ａ、１００ｂ　個人認証機能付き携帯電話機
【図１】
2004080080.tif 000003
【図２】
2004080080.tif 000004
【図３】
2004080080.tif 000005
【図４】
2004080080.tif 000006
【図５】
2004080080.tif 000007
【図６】
2004080080.tif 000008
【図７】
2004080080.tif 000009
【図８】
2004080080.tif 000010
【図９】
2004080080.tif 000011
【図１０】
2004080080.tif 000012
【図１１】
2004080080.tif 000013
【図１２】
2004080080.tif 000014
【図１３】
2004080080.tif 000015
【図１４】
2004080080.tif 000016
【図１５】
2004080080.tif 000017
【図１６】
2004080080.tif 000018